(57)【特許請求の範囲】
【請求項１】
ドレンポット内でドレン管を液封し、ガスの噴出を防止しつつドレンを回収する液封式ドレントラップにおいて、
前記ドレンポット内の液面に浮くフロート本体を有するフロートと、
前記ドレン管に設けられ前記フロートに連動して開閉し、前記ドレンポット内の液位が所定の高さ以下になると閉じる弁と、
前記フロートに連動し、前記ドレンポット内の液位が所定の高さ以下になると液位が低下したことを報知する液位報知手段と、を含み、
前記弁が閉じる前記ドレンポット内の液位と、前記液位報知手段が液位の低下を報知する前記ドレンポット内の液位とは異なり、前記弁が閉じる前記ドレンポット内の液位は、前記液位報知手段が液位の低下を報知する前記ドレンポット内の液位に比べ低いことを特徴とする液封式ドレントラップ。
【請求項２】
前記フロートは、ドレンポット内の液面に浮くフロート本体、該フロート本体の下部に取付けられた棒体及び該棒体に取付けられた重りを含んでなり、ドレンポット内の液位に追従して上下動し、
前記弁は、ボール弁又はバタフライ弁であり、該弁の弁棒がリンク機構からなる操作体を介して前記棒体に連結することを特徴とする請求項１に記載の液封式ドレントラップ。
【請求項３】
前記弁に代え、弁は、弁体と、前記ドレン管内に固定された弁座とを備え、弁体を前記弁座に押し当て閉じる弁であり、弁体は、弁棒を介して前記フロートに連結し前記フロートと一体的に上下動することを特徴とする請求項２に記載の液封式ドレントラップ。
【請求項４】
前記液位報知手段は、レベルスイッチであることを特徴とする請求項１から３のいずれか１に記載の液封式ドレントラップ。
【請求項５】
さらに前記フロートの上部でかつ前記ドレンポットの外部に設けられた視認可能な液位表示体を備えることを特徴とする請求項１から４のいずれか１に記載の液封式ドレントラップ。
【発明の詳細な説明】
【技術分野】
【０００１】
本発明は、ドレンポット内でドレン管を液封するドレントラップに関し、特にドレントラップに貯留する液体の液位が所定の高さ以下になったときに、ドレン管からのガスの噴出を防止する液封式ドレントラップに関する。
【背景技術】
【０００２】
製鉄所の高炉ガスなどの副生ガスを輸送するガス輸送管には、ガス中に混在する水分がドレンとなりガス輸送管内部に滞留することを防止するため、液封式ドレントラップが用いられている。液封式ドレントラップは、ガス輸送管以外にもガスとドレンとが分離して流れている配管からドレンのみを取出すために多く使用されていることは周知のところである。図６は、従来の液封式ドレントラップ１の概略的な構成を示す図である。液封式ドレントラップ１は、ドレン管２、ドレンポット３、ドレン管２と連結する停止弁１０を主に構成される。ドレンポット３には、ドレンからなる液体５が貯留されている。ドレン管２は、上端が停止弁１０を介してガス７が流れる配管１１に接続しており、配管１１内でガス中に混在する水分が冷却され凝縮したドレンは、ドレン管２に導かれドレン管２内を流下する。また、ドレン管２は、下端がドレンポット３内の液体５に挿入されており、ガス７の噴出を防止しつつドレン管２内を流下したドレンをドレンポット３に回収する。
【０００３】
ドレンポット３は、上部にオーバフロー管４を備える。オーバフロー管４は、ドレンポット３からドレンを系外へ排出する配管であると共に、ドレンポット３内に一定量の液体５を貯留させてドレン管２内に液封部６を形成させ、ドレン管２からのガス７の噴出を防止する働きをする。停止弁１０は、ドレン管２内の液封部６の液封が破れドレン管２からガス７が噴出した時など緊急時に、作動させることで危険を回避する目的で設けられている。以上の構成により、液封式ドレントラップ１は、ドレンを連続的に回収すると共に、ドレン管２からのガス７の噴出を防止する。
【０００４】
従来の液封式ドレントラップ１は、ドレン管２内の液封部６の液封が破れると、ドレン管２からガス７が噴出する。ドレンポット３は、液体５の蒸発、あるいはドレンポット３の破損などにより貯留している液体５が減少すると、ドレンポット３内の液位が低下すると共に、ドレン管２内の液位も低下しドレン管２の液封部６の液封が破れる。その結果、ドレン管２内のガス７がドレンポット３を通り外部へ噴出する。製鉄所の高炉ガス、コークス炉ガスなどは、一酸化炭素、水素、メタンなどの毒性ガスあるいは可燃性ガスを含むので、これらのガスがドレン管２から外部へ噴出すると、重大な事故を引き起こす危険性がある。このため定期的に液封式ドレントラップ１の液位の確認を行うと共に、必要に応じて液体の補給を行っている。
【０００５】
上記のように従来の液封式ドレントラップ１は、ドレンポット３内の液位が低下するとドレン管２からガス７が噴出するためこれを防止する技術として、ドレンポットからオーバフローした液体を溜めるドレン槽を設け、ドレン槽に溜められた液体をポンプを用いてドレンポットへ戻すことで、ドレンポット内の液位を常時一定に保持する技術が開示されている（例えば特許文献１参照）。
【特許文献１】特開２００２−２８６１９２号公報
【発明の開示】
【発明が解決しようとする課題】
【０００６】
図６に示す従来の液封式ドレントラップ１は、構造が簡単で安価であるが、ドレンポット３内の液位が低下すると、液封部６の液封が破れガス７が外部に噴出してしまう。また従来の液封式ドレントラップ１は、液封部６の液封が破れるとガス７が噴出し、ガス７の噴出に同伴されてオーバフロー管４よりドレンポット３内の液体５が外部へさらに流出する。液体５の流出によりドレンポット３の液位がさらに下がり、ドレン管２からのガス７の噴出量はますます増加することになる。
【０００７】
特許文献１に記載の技術は、ドレンポット内の液位が常時一定に保たれているので、液封が破れガスが噴出することは殆どないものの、設備が大がかりであり、数多くの液封式ドレントラップに適用するには多くの費用が必要となる。また、ポンプを用いて液体をドレンポットへ返送するため、ポンプが故障したり、配管が異物で閉塞したような場合は、従来の液封式ドレントラップ１と同じ問題が発生する。
【０００８】
液封式ドレントラップは、ドレンポット内の液位を一定に保持することが重要なことはもちろんであるが、仮にドレンポット内の液位が低下しても、ドレン管からガスが噴出するのを防止することが重要である。またドレンポット内の液位が低下したとき、これを報知することができれば、液体を補給するなどの対策を講じることができる。
【０００９】
本発明の目的は、簡単な構造で安価に実施可能なドレンポット内の液位低下によるガスの噴出を防止し、かつドレンポット内の液位低下を報知可能な液封式ドレントラップを提供することである。
【課題を解決するための手段】
【００１０】
請求項１記載の液封式ドレントラップは、ドレンポット内でドレン管を液封し、ガスの噴出を防止しつつドレンを回収する液封式ドレントラップにおいて、
前記ドレンポット内の液面に浮くフロート本体を有するフロートと、
前記ドレン管に設けられ前記フロートに連動して開閉し、前記ドレンポット内の液位が所定の高さ以下になると閉じる弁と、
前記フロートに連動し、前記ドレンポット内の液位が所定の高さ以下になると液位が低下したことを報知する液位報知手段と、を含み、
前記弁が閉じる前記ドレンポット内の液位と、前記液位報知手段が液位の低下を報知する前記ドレンポット内の液位とは異なり、前記弁が閉じる前記ドレンポット内の液位は、前記液位報知手段が液位の低下を報知する前記ドレンポット内の液位に比べ低いことを特徴とする。
【００１１】
請求項２記載の本発明は、前記液封式ドレントラップにおいて、前記フロートは、ドレンポット内の液面に浮くフロート本体、該フロート本体の下部に取付けられた棒体及び該棒体に取付けられた重りを含んでなり、ドレンポット内の液位に追従して上下動し、
前記弁は、ボール弁又はバタフライ弁であり、該弁の弁棒がリンク機構からなる操作体を介して前記棒体に連結することを特徴とする。
【００１２】
請求項３記載の本発明は、前記液封式ドレントラップにおいて、前記弁に代え、弁は、弁体と、前記ドレン管内に固定された弁座とを備え、弁体を前記弁座に押し当て閉じる弁であり、弁体は、弁棒を介して前記フロートに連結し前記フロートと一体的に上下動することを特徴とする。
【００１３】
請求項４記載の本発明は、前記液封式ドレントラップにおいて、前記液位報知手段は、レベルスイッチであることを特徴とする。
【００１４】
請求項５記載の本発明は、前記液封式ドレントラップにおいて、さらに前記フロートの上部でかつ前記ドレンポットの外部に設けられた視認可能な液位表示体を備えることを特徴とする。
【発明の効果】
【００１７】
請求項１記載の本発明によれば、液封式ドレントラップは、ドレンポット内でドレン管を液封し、ガスの噴出を防止しつつドレンを回収する液封式ドレントラップにおいて、ドレンポット内の液面に浮くフロート本体を有するフロートと、ドレン管に設けられフロートに連動して開閉し、ドレンポット内の液位が所定の高さ以下になると閉じる弁と、フロートに連動し、ドレンポット内の液位が所定の高さ以下になると液位が低下したことを報知する液位報知手段と、を含むので、ドレンポット内の液位低下によるガスの噴出を防止することが可能であり、かつドレンポット内の液位低下を報知することができる。これにより、ガスの噴出による危険性を未然に防止することができる。特に弁が閉じるときのドレンポット内の液位が、液位報知手段が液位の低下を報知するときのドレンポット内の液位に比べ低いため、液位が経時的に低下している過程で最初に液位報知手段が作動する。これにより液位低下の原因究明及び対策を講じることができ、液封式ドレントラップの機能を確実に維持することができる。また、本発明の液封式ドレントラップは、構造が簡単なため、安価で又信頼性も高い。
【００１８】
請求項２記載の本発明によれば、フロートは、ドレンポット内の液面に浮くフロート本体、該フロート本体の下部に取付けられた棒体及び該棒体に取付けられた重りを含んでなり、ドレンポット内の液位に追従して上下動し、弁は、ボール弁又はバタフライ弁であり、該弁の弁棒がリンク機構からなる操作体を介して前記棒体に連結するので、ドレンポット内の液位低下によるガスの噴出を確実に防止することができる。
【００１９】
請求項３記載の本発明によれば、弁は、弁体と、前記ドレン管内に固定された弁座とを備え、弁体を前記弁座に押し当て閉じる弁であり、弁体は、弁棒を介して前記フロートに連結し前記フロートと一体的に上下動するので、ドレンポット内の液位低下によるガスの噴出を確実に防止することができる。また、本発明の液封式ドレントラップを安価に又簡単に製作することができる。
【００２０】
請求項４記載の本発明によれば、前記液位報知手段は、レベルスイッチであるので、ドレンポット内の液位が所定の高さ以下になると液位が低下したことを確実に報知することができる。また安価に実施することができる。
【００２１】
請求項５記載の本発明によれば、さらに前記フロートの上部でかつ前記ドレンポットの外部に設けられた視認可能な液位表示体を備えるので、遠い場所からでも目視により液位の低下を確認することができる。また、ガス噴出防止のための対策を現場で迅速に実施することができる。さらに、液位表示体は、フロートに連動して動くため、信頼性の高い危険予知の方法である。
【発明を実施するための最良の形態】
【００２４】
図１は、本発明の第一実施形態としての液封式ドレントラップ１５の概略的構成を示す図である。図２は、図１の液封式ドレントラップ１５のドレンポット３内の液位が低下したときの状態を示す図である。図６と同一の部材は、同一の符号を付して詳細な説明を省略する。液封式ドレントラップ１５は、ドレンポット３内でドレン管２を液封し、ガス７の噴出を防止しつつドレンを回収する液封式ドレントラップであって、ドレンポット３内の液面８に浮くフロート本体２１を有するフロート２０、ドレン管２に取付けられた弁２７、液位報知手段であるレベルスイッチ２４及び液位表示体２５を含み構成される。
【００２５】
ドレン管２は、ガス７が流れる配管（図示を省略）からドレンポット３へドレンを導くためのものであって、ドレン管２の下端がドレンポット３内の液体５に挿入されている。ドレンポット３には、ドレン管２から流下するドレンからなる液体５が貯留されている。ドレンポット３は、貯留する液体５でドレン管２内に液封部６を作り、ドレン管２内のガス７の噴出を防止する。上記の構成により、ドレンポット３は、ドレン管２からのドレンの回収を可能にすると共にガス７の噴出を防止する。
【００２６】
また、ドレンポット３には、上部にオーバフロー管４が設置されている。ドレンポット３内に貯留されている液体５は、貯蔵量が増加するとドレンポット３のオーバフロー管４より系外へ排出される。このように、オーバフロー管４は、ドレンポット３内の液位を一定に保つ機能があり、このことにより、ドレン管２は、安定な液封部６を確保しガス７の噴出を防止することができる。
【００２７】
フロート２０は、ドレンポット３内の液面８に浮くフロート本体２１、フロート本体２１の下部に設置された支持棒２２、支持棒２２に取付けられた重り２３を含み構成される。フロート２０は、ドレンポット３内の液体５にフロート本体２１により浮いており、液位の変化に追従して上下動し、操作体２６を介してドレン管２に取付けられた弁２７の弁棒２８と連結し、ドレンポット３内の液位の上下動に伴い弁２７を開閉する。フロート本体２１は、ドレンポット３内の液面８に浮いており、フロート２０をドレンポット３内の液体５に浮かせる働きをする。そのため、フロート２０は、液位の変化に追従して上下動することができる。フロート本体２１は、液体５に浮く構造物で、例えば、発泡体、木材など液体５の比重より小さな材料で製作することができる。又はボール状の密閉された中空体とすることができる。
【００２８】
支持棒２２は、フロート本体２１の下部に取付けられており、重り２３を支持する。また支持棒２２には、操作体２６の一端が連結する。操作体２６は、リンク機構を有し、他端をドレン管２に取付けられた弁２７の弁棒２８と連結する。また、支持棒２２は、フロート２０の重心をフロート２０の浮心よりも下に位置づける機能があり、これにより、フロート２０は、ドレンポット３内において、液位の変化に追従し安定的に上下動することができる。重り２３は、液体５の比重より大きな構造体で、フロート２０の支持棒２２の下部に取付けられており、フロート２０に十分な重量を与えると共に、フロート２０の重心をフロート２０の浮心よりも下に位置づける。これにより、フロート２０は、ドレンポット３内で安定的に上下動することができる。なお、支持棒２２自身が十分な重量を持っている場合は、重り２３は必ずしも必要ではない。
【００２９】
弁２７は、ボール弁であり、ドレン管２に取付けられており、弁２７の弁棒２８は、リンク機能を有する操作体２６を介して支持棒２２と接続されている。これにより、フロート２０がドレンポット３内の液位の低下に追従して降下すると、フロート２０は、操作体２６を介して弁棒２８を時計周りに回転させ弁２７を閉め、ドレン管２からのガス７の噴出を防止する。このように弁２７は、ドレンポット３内の液位が低下したとき、フロート２０に連動して閉じ、ドレン管２からのガス７の噴出を防止するので、弁２７は、ドレン管２内の液封部６の液封が破られる前に完全に閉じる必要がある。一方、ドレンポット３内の液位が、オーバフロー管４近傍の高いときは、フロート２０は、弁２７を開けるように作用する。このようにドレンポット３内の液位が高いときは、弁２７は、常時開いている。ここで弁２７の開閉は、フロート２０の上下動により行われるので、弁棒を１回転以上回転させることで開閉する玉型弁などは適さない。一方、弁棒を９０°回転させることで全閉、全開となるバタフライ弁は、ボール弁に代え使用することができる。
【００３０】
また、弁２７の取付け方法は特に限定されないので、フランジ、ネジでドレン管２に取付けることができる。弁２７の取付け位置も特定の高さに限定されないけれども、フロート２０に連動して弁２７が開閉する必要があることから、フロート２０と極端に離れた高さに取付けるべきではない。さらにフロート２０も弁２７と近接する距離であることが好ましい。ここで言う距離とは、液封式ドレントラップ１５を図１のように正面から見たときの水平方向の距離を言う。フロート２０と弁２７との距離が離れすぎると、フロート２０が液位に追従して上下動しても、操作体２６を介して連結する弁棒２８の回転角度が小さく、弁２７が完全に閉まらないケースも生じるため注意が必要である。
【００３１】
またドレンポット３の上端には、ドレンポット３内の液位を報知するためのレベルスイッチ２４が装着されている。さらにフロート２０の上部には、ドレンポット３内の液位を指示する液位表示体２５が設けられている。このレベルスイッチ２４は、レベルスイッチ２４が押下されると、通電し液位が所定の高さとなったことを報知する。液位表示体２５の側部には、レベルスイッチ２４を押下するための棒状体２９が取付けられており、ドレンポット３内の液位が低下し、これに追従してフロート２０が所定の位置以下になると、棒状体２９がレベルスイッチ２４を押下する。なお、レベルスイッチ２４の型式は、これに限定されるものではなく、磁気式、光学式のレベルスイッチなどであってもよい。なお、棒状体２９は、フロート２０と一体的に上下動すればよく、必ずしも液位表示体２５に取付ける必要はない。
【００３２】
液位表示体２５は、もう一つの液位報知手段であり、フロート２０のフロート本体２１の上部であって、ドレンポット３の外部に設置されている。液位表示体２５は、板状、又は棒状の形状をしており、ドレンポット３内の液位の低下を遠い場所から視認することができる。液位表示体２５は、直接的な液位表示手段であり、フロート２０と一体的に動くため信頼性が高く、しかも現場で視認ができるため、直ちに、液位低下の原因を究明し、必要に応じて対策を講じることができる。また、液封式ドレントラップ１５を点検する際に、液位表示体２５を手で上下動させることで、フロート２０及び弁２７の固着防止と作動性を容易に確認することできる。
【００３３】
以上の構成からなる本実施形態に示す液封式ドレントラップ１５は、ドレンポット３内の液位が低下してもドレン管２からのガス７の噴出を確実に防止することができる。ドレンポット３内に貯留されている液体５は、通常一定量を保っているが、蒸発、あるいはドレンポット３の破損により減少することがある。液体５の貯蔵量が減少すると、ドレンポット３内の液位が低下し、ドレン管２内の液位も低下する。この時、図６に示すような従来の液封式ドレントラップ１では、液封部６の液封が破れ、ドレン管２内のガス７がドレンポット３を通り外部へ噴出する。
【００３４】
これに対して本実施形態に示す液封式ドレントラップ１５は、フロート２０が、ドレンポット３内の液面８にフロート本体２１により浮いており、ドレンポット３内の液位が低下すると、これに追従して降下する。またドレン管２に取付けられた弁２７は、弁棒２８を操作体２６を介してフロート２０の支持棒２２と連結するので、ドレンポット３内の液位が所定の高さ以下となると、フロート２０は、操作体２６を介して弁２７の弁棒２８を回転させ、ドレン管２内の液封部６の液封が破られる前にドレン管２に取付けられた弁２７を閉める。これにより、ドレン管２からのガス７の噴出を防止することができる。
【００３５】
一方、液位報知手段であるレベルスイッチ２４は、ドレンポット３内の液位の低下により、フロート２０が所定の位置以下まで降下すると作動し、操作室などの人が常駐する場所で警報などを発し、ドレンポット３内の液位が異常に低下したことを報知する。また、もう一つの液位報知手段である液位表示体２５は、フロート２０の上部に視認できる形で取付けられているので、ドレンポット３内の液位が異常に低下した場合、液位表示体２５の降下により危険な液位であることを報知する。これにより日常の巡回時において、ドレンポット３内の液位が異常に低下し、危険な液位であることを、遠くからでも知ることができる。
【００３６】
液位低下の原因を取除き、ドレンポット３に液体を補給することでドレンポット３内の液位を正常な高さに戻すことができる。これにより、ドレン管２の液封部６は、再び確保される。同時に、フロート２０は、正常な位置まで上昇し、フロート２０に連動した操作体２６を介して弁２７が再び開かれ、ドレン管２からドレンが正常に流下する。さらにレベルスイッチ２４、液位表示体２５は、正常な状態に戻される。
【００３７】
以上のように、本実施形態に示す液封式ドレントラップ１５を使用することで、ドレンポット３内の液位が低下しても、ガス７の噴出を防止することができると共に、液位の低下を報知することができる。液位報知手段が作動する液位と、弁２７が閉じる液位とを同一レベルとすることもできるが、液位報知手段であるレベルスイッチ２４が作動する液位を弁２７が閉じる液位より少し高い液位とすることが好ましい。これにより、ドレンポット３内の液位の低下を、弁２７が閉じる前に報知することが可能となり、事前に対策を講じることができる。
【００３８】
図３は、本発明の第二実施形態としての液封式ドレントラップ３０の概略的構成を示す図である。図４は、図３の液封式ドレントラップ３０のＡ―Ａ矢視図である。図５は、図３の液封式ドレントラップ３０のドレンポット３内の液位が低下した状態を示す図である。図１及び図２と同一の部材は、同一の符号を付して詳細な説明を省略する。液封式ドレントラップ３０は、第一実施形態に示す液封式ドレントラップ１５と基本的な構成は同一であるが、ドレン管２内に取付けられた弁５０の構造が異なる。これに伴いフロート４０の構造も第一実形態に示す液封式ドレントラップ１５のフロート２０と異なる。
【００３９】
フロート４０は、ドレンポット３内の液面８に浮くフロート本体２１（２１ａ、２１ｂ、２１ｃ）、フロート本体２１の下部に設置された支持棒２２（２２ａ、２２ｂ、２２ｃ）、支持棒２２の下部と弁５０の弁棒５２の下部とを接続する接続体４３（４３ａ、４３ｂ、４３ｃ）、支持棒取付板４４（４４ａ、４４ｂ、４４ｃ）を含み構成される。フロート４０は、ドレンポット３内の液体５にフロート本体２１により浮いており、液位の変化に追従して上下動する。フロート４０が液位に追従して降下すると、弁棒５２も降下し、弁棒５２に取付けられた弁体５１が、ドレン管２内に固定された弁座５３に押し当てられ弁５０を閉じる。これにより、ドレンポット３内の液位低下によるガス７の噴出を防止する。
【００４０】
フロート本体２１は、フロート４０をドレンポット３内でほぼ水平を保ちながら安定に上下動させるため、ドレン管２を中心とし、対象位置に３個設置されている。３個のフロート本体２１ａ、２１ｂ、２１ｃは、それぞれ支持棒２２ａ、２２ｂ、２２ｃと連結し、３本の支持棒２２は、一端をそれぞれ支持棒取付板４４（４４ａ、４４ｂ、４４ｃ）と連結する。また各支持棒２２は、ドレンポット３内の上下２段に設けられた支持棒ガイド４５、４６でガイドされている。支持棒ガイド４５（４５ａ、４５ｂ、４５ｃ）、４６（４６ａ、４６ｂ、４６ｃ）は、一端がドレンポット３の内壁に固定され、他端がドレン管２の外壁に固定され、中間部に支持棒２２をガイドするガイドパイプ４７（４７ａ図示省略、４７ｂ、４７ｃ）、４８（４８ａ図示省略、４８ｂ、４８ｃ）を有する。これにより、フロート４０の安定な上下動が確保される。なお、支持棒ガイド４５（４５ａ、４５ｂ、４５ｃ）は、フロート４０の上下動を妨げない位置に取付けることが必要なことは言うまでもないが、ドレン管２内の圧力変動に伴い、ドレンポット３内の液位も多少上下動することを考慮しておく必要がある。
【００４１】
支持棒取付板４４は、細長い板状体であり、支持棒２２と連結すると共に、端部をお互いに連結する。この結果、支持棒取付板４４は、平面視において三角形の形状を有する。さらに支持棒取付板４４は、各々中央部に弁棒５２の下端と連結する接続体４３を有する。これらにより、ドレンポット３内の液位が変化すると、フロート４０と連結する弁棒５２もフロート４０と一体的に上下動する。第二実施形態では、３個のフロート本体２１を設置する例を示したけれども、状況に応じ１個、又は複数個のフロート本体２１を設置しても良い。但し、弁棒５２に取付けられた弁体５１をスムーズに上下動させる点から、フロート本体２１を３個以上設置することが好ましい。
【００４２】
弁５０は、ドンレ管２に取付けられており、弁座５３は、ドレン管２の内壁に固定されている。弁体５１は、弁棒５２の上部に固定されており、下部が逆円錐形状であり、弁体５１を弁座５３に押し当てることで閉じる。弁５０のシール性を高めるためには、弁体５１と弁座５３の接触部の圧力を高くすることが必要である。このためには、フロート４０の重量がシール性を確保するために十分な重量であることが必要である。この重量は、支持棒取付板４４で確保してもよく、必要に応じて支持棒２２の下部に重りを取付けてもよい。
【００４３】
弁５０は、ドレン管２内に設ける必要があるが、取付け位置は特に限定されるものではなく、ドレンポット３内の液位が低下したとき、ドレン管２からガス７が噴出することを防止できる高さであればよい。またドレン管２内に固定する弁座５３の取付方法も特に限定されないので、短管に弁座５３を取付け、この短管をフランジを介してドレン管２に取付けてもよい。この場合、この短管はドレン管２の一部として機能する。このようにドレン管２内に弁５０を設けるとは、ドレン管２に直接、弁５０を取付ける場合のみならず、既設のドレン管２に弁座５３を取付けた短管を取付けるような場合も含む。なお、弁体５１及び弁棒５２の先端は、停止弁１０に接触しない位置とすることが必要なことは言うまでもないが、ドレン管２内の圧力変動に伴い、ドレンポット３内の液位も多少上下動することを考慮しておく必要がある。
【００４４】
上記のように構成される液封式ドレントラップ３０の動作は、基本的に第一実施形態に示す液封式ドレントラップ１５と同じである。つまり、ドレンポット３内の液位が低下すると、弁体５１が弁座５３に押し当てられドレン管２からのガス７の噴出を防止し、ドレンポット３内の液位が高いときは、弁５０は常時開いており、ドレンは正常に流下する。さらに第二実施形態に示す液封式ドレントラップ３０は、第一実施形態に示す液封式ドレントラップ１５と同様、液位報知手段を備えるので、ドレンポット３内の液位の低下により、フロート４０が所定の位置以下まで降下すると警報を発する。なお、第二実施形態に示す液封式ドレントラップ３０のレベルスイッチ２４は、第一実施形態に示す液封式ドレントラップ１５のレベルスイッチ２４と動作が逆となっている。このようにレベルスイッチ２４の動作は、液位が低下するとオン又はオフとすることができるけれども、ドレン管２内の圧力変動に伴い、ドレンポット３内の液位も多少上下動することを考慮すれば、ドレンポット３内の液位が低下したとき、オンとすることが好ましい。
【図面の簡単な説明】
【００４５】
【図１】本発明の第一実施形態としての液封式ドレントラップ１５の概略的構成を示す図である。
【図２】図１の液封式ドレントラップ１５のドレンポット３内の液位が低下したときの状態を示す図である。
【図３】本発明の第二実施形態としての液封式ドレントラップ３０の概略的構成を示す図である。
【図４】図３の液封式ドレントラップ３０のＡ−Ａ矢視図である。
【図５】図３の液封式ドレントラップ３０のドレンポット３内の液位が低下したときの状態を示す図である。
【図６】従来技術である液封式ドレントラップ１の概略的構成を示す図である。
【符号の説明】
【００４６】
２    ドレン管
３    ドレンポット
７    ガス
８    ドレンポット内の液面
１５  液封式ドレントラップ
２０  フロート
２１  フロート本体
２３  重り
２４  レベルスイッチ
２５  液位表示体
２７  弁
３０  液封式ドレントラップ
４０  フロート
５０  弁
５１  弁体
５３  弁座
【図１】
0004633003.tif 000002
【図２】
0004633003.tif 000003
【図３】
0004633003.tif 000004
【図４】
0004633003.tif 000005
【図５】
0004633003.tif 000006
【図６】
0004633003.tif 000007